(57)【要約】【課題】ルックアップテーブルのチャンネル数が増加しても、出力時のスループットを向上させる画像出力システムを提供する。【解決手段】第１の出力制御情報が記憶された第１の記憶領域２０５ａと第２の記憶領域２０５ｂからなる記憶手段２０５を備えた画像出力装置４と、第１の出力制御情報及び第２の出力制御情報が記憶された記憶手段３４及び外部装置から受信した画像情報に応じて出力制御情報を選択するＬＵＴ選択手段３５を備え、画像出力装置４を制御する制御装置３とを有し、第１の出力制御情報の選択時には、識別情報を前記画像情報に付加して画像出力装置４に送信して画像出力装置４に画像を出力させ、第２の出力制御情報の選択時には、選択された第２の出力制御情報に前記画像情報を付加して画像出力装置４に送信し、当該出力制御情報を第２の記憶領域２０５ｂに記憶させ、画像出力装置４に画像を出力させる。【選択図】図２
2005020133.tif 000002
【特許請求の範囲】
【請求項１】
画像情報に基づく画像を、露光条件に関する出力制御情報に基づいて露光して出力する画像出力装置と、予め設定された第１の出力制御情報及びそれ以外の第２の出力制御情報が記憶された記憶手段及び外部装置から受信した画像情報に応じて出力制御情報を選択するＬＵＴ選択手段を備え、前記画像出力装置を制御する制御装置とを有する画像出力システムであって、
前記第１の出力制御情報が記憶された第１の記憶領域と、前記第１の出力制御情報以外の出力制御情報を記憶するための第２の記憶領域とを有する記憶手段が前記画像出力装置に設けられ、前記制御装置は、前記第１の出力制御情報が選択されたときに、その選択された出力制御情報を識別する識別情報を前記画像情報に付加して画像出力装置に送信し、前記識別情報によって特定された前記第１の出力制御情報及び前記画像情報に基づいて前記画像出力装置に画像を出力させ、前記第２の出力制御情報が選択されたときには、その選択された第２の出力制御情報を前記画像情報に付加して画像出力装置に送信し、当該出力制御情報を前記第２の記憶領域に記憶させると共に、前記画像出力装置に画像を出力させることを特徴とする画像出力システム。
【請求項２】
少なくとも選択頻度に応じて、選択頻度が高い第１の出力制御情報が予め記憶された第１の記憶領域と、選択頻度が低い第２の出力制御情報を記憶するための第２の記憶領域とを有する記憶手段を備え、画像情報及び前記出力制御情報に基づいて露光して画像を出力する画像出力装置と、
前記第１の出力制御情報及び前記第２の出力制御情報が記憶された記憶手段及び外部装置から受信した画像情報に応じて出力制御情報を選択するＬＵＴ選択手段を有し、前記第１の出力制御情報が選択されたときにその選択された第１の出力制御情報を識別する識別情報を前記画像情報に付加して画像出力装置に送信し、前記識別情報によって特定された前記第１の出力制御情報及び前記画像情報に基づいて前記画像出力装置に画像を出力させ、前記第２の出力制御情報が選択されたときには、その選択された第２の出力制御情報を前記画像情報に付加して画像出力装置に送信し、当該出力制御情報を前記第２の記憶領域に記憶させると共に、前記画像出力装置に画像を出力させることを特徴とする画像出力システム。
【請求項３】
前記第２の記憶領域は書き換え可能な記憶領域であることを特徴とする請求項１又は請求項２に記載の画像出力システム。
【請求項４】
前記制御装置は、所定回数以上選択された出力制御情報を前記第１の出力制御情報として前記第１の記憶領域に記憶することを特徴とする請求項２又は請求項３に記載の画像出力システム。
【発明の詳細な説明】
【０００１】
【発明の属する技術分野】
本発明は、画像情報に基づく画像を、露光条件に関する出力制御情報に従って露光して出力する画像出力装置と、外部装置から受信した画像情報に、前記画像出力装置の露光条件に関する出力制御情報を付加して、前記画像出力装置へ送信する制御装置とを有する画像出力システムに関するものである。
【０００２】
【従来の技術】
近年、印刷産業においては、ＤＴＰ（Ｄｅｓｋ  Ｔｏｐ  Ｐｕｂｌｉｓｈｉｎｇ）と称され、スキャナから入力した画像をコンピュータのソフトウェア上で画像編集、ページ面付けするデジタル編集装置から、ＣＴＰ（Ｃｏｍｐｕｔｅｒ  ｔｏ  Ｐｌａｔｅ）と称され、デジタルで直接、印刷用の原版を作成する画像出力装置に画像情報を送信して、これを出力する機会が増してきている。
【０００３】
しかしながら、このように、直接、印刷用の原版を作成する場合には、ＤＴＰにおいて画像情報を作成する際にミスがあると、間違った印刷物を大量に作成してしまう印刷事故が発生する場合があった。
【０００４】
そこで、最近では、原版を作成する前にカラーのデジタルプルーフを作成することで、これを基に校正を行うことを可能としたカラープルーフ作成システムなるものが出現するに至っている。
【０００５】
このようなカラープルーフ作成システムにおいては、当該カラープルーフ作成システムを構成する出力装置が、カラーのデジタルプルーフをシアン（Ｃ）、マゼンタ（Ｍ）、イエロー（Ｙ）、ブラック（ＢＫ）といった基本色のみを用いて出力するものであることが通常であり、画像情報に特色が含まれていた場合であっても、これを基本色に色分解して出力することが多い。仮に、出力装置が特色を用いた出力を行うことが可能に構成されたものであっても、特色を出力するためには専用のインクが必要とされることから、このような場合であっても、数種の特定された特色しか出力することはできなかった。
【０００６】
このようなカラープルーフ作成システムの中には、当該カラープルーフ作成システムを構成する出力装置が、感光材料である銀塩カラーペーパーを各色の光源によって露光することで、カラーのデジタルプルーフを作成するものにより構成されるものがある。このようなカラープルーフ作成システムにおいては、出力装置のレッド（Ｒ）、グリーン（Ｇ）、ブルー（Ｂ）の各色光源による露光量を各々調節することで、任意の特色を出力することが可能となっている（例えば、特許文献１参照）。
【０００７】
【特許文献１】
特開平１１−２０５６２２号公報（段落〔０００２〕‐〔０００４〕、第７図及び第１２図）
特許文献１に記載の画像出力システムは、シアン（Ｃ）、マゼンタ（Ｍ）、イエロー（Ｙ）、ブラック（ＢＫ）といった基本色のデータを、出力装置のレッド（Ｒ）、グリーン（Ｇ）、ブルー（Ｂ）の各色光源による露光データに変換する出力制御情報として、ルックアップテーブルを記憶する記憶手段を出力装置に備え、当該記憶手段に記憶されたルックアップテーブルを制御装置の入力手段から指定して画像情報に係る画像を出力するものである。
【０００８】
【発明が解決しようとする課題】
しかしながら、さまざまな発色パターンに対応するためには、ルックアップテーブルのチャンネル数を前記記憶手段に多数確保する必要がある。それに加えて個々のルックアップテーブルのデータ量は比較的大容量であるため、前記記憶手段に記憶されるルックアップテーブルの容量の増加は無視できない問題になることは必然であった。また、前記記憶手段に記憶される容量を最小限に留めるために、多数のルックアップテーブルを制御装置に保持しておき、出力する画像情報毎に選択されたルックアップテーブルをその都度、制御装置から画像出力装置に送信する態様も考えられるが、制御装置と画像出力装置とを接続するデータ伝送線におけるトラフィックが増大し、結果として画像出力に係るスループットを低下させることになっていた。さらに、使用者にあっては制御装置から選択するルックアップテーブルのチャンネル数が多いことによる使い勝手の向上が望まれていた。
【０００９】
本発明は、上記課題を鑑みてなされたものであり、その目的とするところは、ルックアップテーブルのチャンネル数が増加しても、出力時のスループットを向上させる画像出力システムを提供することにある。
【００１０】
【課題を解決するための手段】
上記課題を解決するための請求項１記載の発明に係る画像出力システムは、画像情報に基づく画像を、露光条件に関する出力制御情報に基づいて露光して出力する画像出力装置と、予め設定された第１の出力制御情報及びそれ以外の第２の出力制御情報が記憶された記憶手段及び外部装置から受信した画像情報に応じて出力制御情報を選択するＬＵＴ選択手段を備え、前記画像出力装置を制御する制御装置とを有する画像出力システムであって、前記第１の出力制御情報が記憶された第１の記憶領域と、前記第１の出力制御情報以外の出力制御情報を記憶するための第２の記憶領域とを有する記憶手段が前記画像出力装置に設けられ、前記制御装置は、前記第１の出力制御情報が選択されたときに、その選択された出力制御情報を識別する識別情報を前記画像情報に付加して画像出力装置に送信し、前記識別情報によって特定された前記第１の出力制御情報及び前記画像情報に基づいて前記画像出力装置に画像を出力させ、前記第２の出力制御情報が選択されたときには、その選択された第２の出力制御情報を前記画像情報に付加して画像出力装置に送信し、当該出力制御情報を前記第２の記憶領域に記憶させると共に、前記画像出力装置に画像を出力させることを特徴とする。
【００１１】
また、上記課題を解決するための請求項２記載の発明に係る画像出力システムは、少なくとも選択頻度に応じて、選択頻度が高い第１の出力制御情報が予め記憶された第１の記憶領域と、選択頻度が低い第２の出力制御情報を記憶するための第２の記憶領域とを有する記憶手段を備え、画像情報及び前記出力制御情報に基づいて露光して画像を出力する画像出力装置と、前記第１の出力制御情報及び前記第２の出力制御情報が記憶された記憶手段及び外部装置から受信した画像情報に応じて出力制御情報を選択するＬＵＴ選択手段を有し、前記第１の出力制御情報が選択されたときにその選択された第１の出力制御情報を識別する識別情報を前記画像情報に付加して画像出力装置に送信し、前記識別情報によって特定された前記第１の出力制御情報及び前記画像情報に基づいて前記画像出力装置に画像を出力させ、前記第２の出力制御情報が選択されたときには、その選択された第２の出力制御情報を前記画像情報に付加して画像出力装置に送信し、当該出力制御情報を前記第２の記憶領域に記憶させると共に、前記画像出力装置に画像を出力させることを特徴とする。
【００１２】
また、上記課題を解決するための請求項３記載の発明に係る画像出力システムは、請求項１又は請求項２に記載の画像出力システムにおいて、前記第２の記憶領域は書き換え可能な記憶領域であることを特徴とする。
【００１３】
また、上記課題を解決するための請求項４記載の発明に係る画像出力システムは、請求項２又は請求項３に記載の画像出力システムにおいて、前記制御装置は、所定回数以上選択された出力制御情報を前記第１の出力制御情報として前記第１の記憶領域に記憶することを特徴とする。
【００１４】
【発明の実施の形態】
以下、本発明に係る画像出力システムの一実施形態について、図面を参照して説明する。
【００１５】
まず、本実施形態における画像出力システムの概略構成及び概略動作について説明する。尚、当該画像出力システムは、画像出力装置として、所謂、デジタルカラープルーフ作成装置（以下、ＤＣＰ作成装置と称する）を含み構成されるものである。
（画像出力システムの概略構成）
図１に示すように、本発明に係る画像出力システムは、上流端末である画像情報編集端末１Ａ〜１Ｃ及びＲＩＰ（Ｒａｓｔｅｒ  Ｉｍａｇｅ  Ｐｒｏｃｅｓｓｏｒ）２から送信された画像情報を受信して、その画像情報を直接、又は、所定の出力条件にて解析加工し、これを出力指示信号と共にＤＣＰ作成装置４に送信する制御装置３と、この制御装置３から送信された画像情報に基づいて、所定の出力条件にて所定の画像を出力するＤＣＰ作成装置４とを有してなる。尚、画像情報編集端末１Ａ〜１Ｃ及びＲＩＰ２と制御装置３とは、ネットワークＮを介して互いに接続されている。また、画像情報編集端末１Ａ〜１ＣやＲＩＰ２は、任意の数が設けられて良い。
【００１６】
画像情報編集端末１Ａ〜１Ｃ及び制御装置３は、何れもコンピュータターミナル（端末装置）として動作するものであって、画像情報編集端末１Ａ〜１Ｃは、コンピュータ本体、キーボード、モニタ、イメージスキャナ等の必要な画像入力機器等を備えている。また、制御装置３は、コンピュータ本体、キーボード、モニタ等を備え、ＤＣＰ作成装置４の出力制御を行うための所定の動作プログラムが組み込まれている。
（画像制御装置及び画像出力装置の概略構成）
図２は、本発明に係る画像制御装置及び画像出力装置の概略構成を示すブロック図である。図２に示すように、制御装置３及びＤＣＰ作成装置４は、通信回線を介して相互に接続されている。具体的にそれらの通信回線は、制御装置３がＤＣＰ作成装置４を制御するための制御情報の伝送路である制御情報伝送線５及び前記画像情報の伝送路である画像情報伝送線６とからなる。
（制御装置の構成）
制御装置３には、前記画像情報編集端末１Ａ〜１Ｃからの画像情報を入力する入力部３１と、ＤＣＰ作成装置４が画像記録時に必要とする記録条件（ルックアップテーブル（ＬＵＴ）等）を複数記憶する記録条件記憶手段を構成するメモリである記憶手段３４と、係る記憶手段３４に記憶されたルックアップテーブルを選択するためのＬＵＴ選択手段３５と、係るＬＵＴ選択手段３５によって選択されたルックアップテーブル及び入力部３１によって入力された画像情報を受けて画像情報生成手段３３に画像情報を生成させ、インターフェイス（ＩＦ）部３７を介してＤＣＰ作成装置４に画像情報と制御情報とをＤＣＰ作成装置４に送信させる制御手段としてのＣＰＵ３０とを有している。このように、ＤＣＰ作成装置４が記録時に必要とする記録条件（ＬＵＴ４３に格納する光源駆動データ）をＩＦ部（３６，２０１）を介して制御装置３からＤＣＰ作成装置４に送信することによって、画像の絵柄等が予め分かっている制御装置３側からの制御で、画像の絵柄に応じて適した仕上がりの画質を簡単に実現できるようになる。また、制御装置３側でＤＣＰ作成装置４側の光源駆動データを直接指定でき、システムとしてプリント画像の安定化を図ることができ、画質の向上に寄与することができる。
【００１７】
ここで、前記記録条件としてのルックアップテーブルは、ＤＣＰ作成装置４のＬＵＴ２０５に格納すべき感光材料への画像記録時の光源駆動情報が該当する。
すなわち、いわゆるカラーコレクションデータと称されるように、Ｃ、Ｍ、Ｙ、Ｋの基本色と所定数の特色との全ての組み合わせと、ＤＣＰ作成装置４におけるＲ、Ｇ、Ｂの各色の露光量とを関連付けたテーブルのことである。
【００１８】
また、記憶手段３４に記憶されたルックアップテーブルはそれぞれ、第１の出力制御情報及び第２の出力制御情報として振り分けられている。振り分けられる基準は、例えば使用者に選択される頻度であり、初期設定において予め使用者がよく使用するルックアップテーブルを第１の出力制御情報として関連付け、その他のルックアップテーブルを第２の出力制御情報として関連付けておいてもよいし、ルックアップテーブル毎に使用者に選択された回数をＣＰＵ３０がカウントし、所定回数以上選択されたルックアップテーブルを第１の出力制御情報として関連付けるようにしてもよい。前述したようにＣＰＵ３０は、制御情報及び画像情報をＤＣＰ作成装置４に送信するが、詳細には、使用者が第１の出力制御情報を選択した場合には、第１の出力制御情報が選択されたことを示唆する識別情報を付加した画像情報をＤＣＰ作成装置４に送信し、第２の出力制御情報が選択された場合には、選択された第２の出力制御情報を付加した画像情報をＤＣＰ作成装置４に送信する。すなわち、第１の出力制御情報が選択された場合と第２の出力制御情報が選択された場合との違いは、記憶手段３４における第１の出力制御情報が選択された旨を示す代替情報としての識別情報をＤＣＰ作成装置４に送信するか、選択された第２の出力制御情報そのものをＤＣＰ作成装置４に送信するかである。
【００１９】
さらに、表示手段３２は、制御装置３の各種状態を表示する手段であり、本実施形態においては記録条件の入力の際にも各種表示を行う。その記録条件の入力に用いられるのが入力手段１２である。入力手段１２は、表示手段３２に表示された種々のルックアップテーブルを使用者が選択するために入力するための手段であり、表示手段３２と一体化してタッチパネルの形態をなしてもよい。本実施形態ではタッチパネルを採用して説明する。表示手段３２に表示される内容には、例えば２通りの表示内容があり、▲１▼初期設定において予め第１の出力制御情報が入力されている表示内容と、▲２▼すべてのルックアップテーブルを表示し、使用者に選択させる表示内容とがある。▲１▼の場合では、少なくとも第１の出力制御情報としてどのルックアップテーブルが割り当てられているかが表示されており、第１の出力制御情報に割り当てられていないルックアップテーブルは第２の出力制御情報に割り当てられている。▲２▼の場合では、表示されたルックアップテーブルの各々について選択された回数をＣＰＵ３０がカウントし、所定回数以上選択されたルックアップテーブルを第１の出力制御情報として他のルックアップテーブルと分別する。例えば、初期状態ではすべてのルックアップテーブルを第２の出力制御情報として割り当てておいて、所定回数選択されたルックアップテーブルについて順次第１の出力制御情報として割り当てる。
【００２０】
制御装置３に設けられた入力部３１を用いて、ＤＣＰ作成装置４が記録時に必要とする記録条件（ＬＵＴ４３に格納する光源駆動データ）を、画像の絵柄等に応じて演算して作成・管理し、ＩＦ部（３６，２０１）を介して制御装置３からＤＣＰ作成装置４に与えることによって、画像の絵柄等が予め分かっている制御装置３側からの制御と操作のみで、画像の絵柄等に応じて適した仕上がりの画質を、簡単に実現するものである。また、制御装置３側でＤＣＰ作成装置４側の光源駆動データを直接指定できるので、システムとしてプリント画像の安定化を図ることができ、画質の向上に寄与することができる。
【００２１】
ＬＵＴ選択手段３５は、ＤＣＰ作成装置４に転送する画像情報に適合した記録条件を選択する条件ＬＵＴ選択手段３５であり、図示はしないが、使用者が操作する操作部及び表示部を備えている。これにより選択された記録条件は、係る記録条件を演算により求める条件演算手段であるＣＰＵ３０がＩＦ部３７を介してＤＣＰ作成装置４に転送される。
（ＤＣＰ作成装置の構成）
ＤＣＰ作成装置４には、ＣＰＵ３０によってＩＦ部３６及びＩＦ部３７を介して送信された記録条件、制御情報及び画像情報を入力するＩＦ部２０１と、前記画像情報をＣ（シアン）、Ｍ（マゼンタ）、Ｙ（イエロー）及びＫ（ブラック）に分離蓄積するデータバッファ（Ｃ，Ｍ，Ｙ，Ｋ）と、これらの画像情報をＲ（レッド）、Ｇ（グリーン）及びＢ（ブルー）に変換するためのルックアップテーブル（ＬＵＴ）２０５と、前記画像情報をデータバッファのそれぞれに蓄積すると共に、ルックアップテーブル２０５に基づいて画像情報のそれぞれをＲ（レッド）、Ｇ（グリーン）及びＢ（ブルー）の各情報に変換し、Ｄ−Ａコンバータ（Ｃ，Ｍ，Ｙ，Ｋ）、光源ドライバ（Ｃ，Ｍ，Ｙ，Ｋ）及びＬＥＤ（Ｃ，Ｍ，Ｙ，Ｋ）を制御してＤＣＰを作成するＣＰＵ１００とを有する。
【００２２】
ＬＵＴ２０５は、印刷の基準色すなわちＹ（イエロー）、Ｍ（マゼンタ）、Ｃ（シアン）、Ｂ（ブルー）、Ｇ（グリーン）、Ｒ（レッド）、ＢＫ（ブラック）、ＧＹ（グレイ）及びＷ（ホワイト）と、それら基準色を感光材料に露光する光源の光すなわちＲ（レッド）、Ｇ（グリーン）、Ｂ（ブルー）の強度組成との対応を規定する種々のルックアップテーブルを記憶している。
【００２３】
また、このＬＵＴ２０５に記憶されるルックアップテーブルは、所定の条件の下で２つ以上に分類されて記憶され、その記憶される態様は記憶手段３４と同様である。すなわち、ＬＵＴ２０５の内容は、使用者の任意決定又は選択頻度によって記憶手段３４に記憶された出力制御情報の分別内容と相互に反映している。
そして、ＬＵＴ２０５には、すべてのルックアップテーブルが格納・分類されており、記憶手段３４に格納されるのは第１の出力制御情報に対応するルックアップテーブルのリスト及びそれ以外（第２のルックアップテーブル）のデータであることが望ましい。この場合、初期設定や入力手段１２によって分類される第１及び第２の出力制御情報の分別は、ＣＰＵ３０によってＤＣＰ作成装置４に送信されてＬＵＴ２０５に反映され、さらにその内容が記憶手段３４に反映されることがさらに望ましい。このようにすることで、記憶手段３４及びＬＵＴ２０５のそれぞれがすべてのルックアップテーブルを格納し、分類されているよりも、記憶容量を有効に使用することができる。
【００２４】
さらに、ＬＵＴ２０５は、第１の出力制御情報と第２の出力制御情報とを分別するために２つの記憶領域にそれぞれ記憶されている。具体的には、使用者が予め多用することが判明しているルックアップテーブルや、前記ＬＵＴ選択手段３５による選択頻度が高いとして判断されたルックアップテーブルを「使用頻度の高いルックアップテーブル」として固定的に第１の記憶領域２０５ａに記憶し、それ以外のルックアップテーブル（第２の出力制御情報）は「使用頻度の低いルックアップテーブル」として一時的に第２の記憶領域２０５ｂに記憶するのである。従って、前記「使用頻度の高いルックアップテーブル」に限って不揮発性の記憶手段としての第１の記憶領域２０５ａに固定的に記憶し、それ以外のルックアップテーブル（第２の出力制御情報）については、制御手段３から送信された後、揮発性の記憶手段としての第２の記憶領域２０５ｂに記憶され、参照された後に消去されるようにしてもよい。
【００２５】
図３は、本発明に係る画像出力システムの一実施形態における画像出力装置の電気的構成を示すブロック図である。図３に示すように、制御部１００は、ＣＰＵ１０１、ＲＡＭ１０２及びＲＯＭ１０３を有し、Ｉ／Ｏポート１０４，１０５を介してセンサ類及びアクチュエータ群に接続され、センサ類からの情報に基づきアクチュエータ群を制御する。
【００２６】
センサ類としては、前記カートリッジ有無センサＳ１、カバー閉検出センサＳ２、カバーロック検出センサＳ３、ペーパーエンドセンサＳ４、給紙ローラー圧着位置検出センサＳ５、給紙ローラー解除位置検出センサＳ６、ドラム給排紙ローラー圧着位置検出センサＳ７、ドラム給排紙ローラー解除位置検出センサＳ８、ペーパー先端基準位置センサＳ９、ペーパー送り量検出センサＳ１０、ローターリエンコーダ３７、副走査基準位置検出センサＳ１１、副走査書き込み位置検出センサＳ１２、副走査オーバーラン位置検出センサＳ１３、剥離ガイド開センサＳ１４、剥離ガイド閉センサＳ１５、出口シャッター開検出センサＳ１６及び剥離ジャム検出センサＳ３０が接続される。また、出口センサ（図示せず）も接続される。
【００２７】
アクチュエータ群としては、カバーロックモーターＭ１、給紙ローラー圧着解除モーターＭ２、給紙モーターＭ３、カッターモーターＭ２０、ドラム給排紙モーターＭ４、ドラム給排紙ローラー圧着解除モーターＭ５、ドラム回転モーターＭ６、副走査モーターＭ７、露光シャッターソレノイド３３３、搬出モーターＭ８、剥離ガイド上下モーターＭ９及び出口シャッターモーターＭ１０が接続され、ドライバＤ１，Ｄ２，Ｄ３，Ｄ１１，Ｄ５，Ｄ４，Ｄ６，Ｄ７，Ｄ３３３，Ｄ８，Ｄ９，Ｄ１０を介してそれぞれ駆動される。
【００２８】
以上のような構成において、制御装置３を介して外部接続されたＲＩＰ２から、画像情報が画像情報Ｉ／Ｆ部２０１を経てデータバッファ２０４へ送られる。
一方、ロータリーエンコーダー３７からの感光材料送り情報に基づくＰＬＬ２０２の出力信号に同期させて、ドットクロック生成部２０３のドットクロックで画像情報をデータバッファ２０４からＬＵＴ２０５及びＤ／Ａ変換部２０６〜２０８を介してＡＯＭドライバＤ３２０，Ｄ３２１，Ｄ３２２に与え、これらＡＯＭドライバＤ３２０，Ｄ３２１，Ｄ３２２によりレッドレーザー光源（ＨｅＮｅ）３２０、グリーンレーザー光源（ＨｅＮｅ）３２１、ブルーレーザー光源（Ａｒ）３２２をそれぞれ駆動する。
【００２９】
ここで、ＲＩＰ２により作成された各色（Ｃ，Ｍ，Ｙ，ＢＫ）の網点画像情報は画像情報Ｉ／Ｆ部２０１に転送され、そこでＲＩＰフォーマットから露光用フォーマットにデータ変換されてデータバッファ２０４に蓄積されるようになっている。データバッファ２０４に１枚分の画像情報が蓄積された後、全色同時露光される。
【００３０】
その際、露光時のレーザー最小打ち込みドット（以下、画素とする）に対応し、印刷物のＣ，Ｍ，Ｙ，ＢＫ版データが図４に示すように１６通りの組み合わせで与えられ、同図４に示すように、ＬＵＴ２０５にて指定されたＲ，Ｇ，Ｂのレーザー強度の組み合わせに変換され、３波長のレーザーが重なっている画素単位で露光が行なわれる。
【００３１】
印刷物のＣ，Ｍ，Ｙ，ＢＫインクの色あいは、印刷に使用するインクの銘柄等によって異なる。そこで、本実施の形態における画像出力システムでは、基準色Ｙ〜Ｗに対応するレーザーＲ，Ｇ，Ｂの強度組成をインクあるいはユーザーの好みに応じて設定するようにしている。インクの銘柄等が以下に述べるチャンネルに対応する。
【００３２】
印刷インク基準色Ｃ，Ｍ，Ｙ，ＢＫの網点の組み合わせでは色に濁りが発生し正確に出しにくい特色（例えばピンク等）については、特別にインクを調合し、専用の版で印刷する場合がある。そのような場合には、図５に示すように、特色ＳＰに関して対応するＲ，Ｇ，Ｂのレーザー強度組成ａ，ｂ，ｃを設定するようにする。銀塩感光材料を使用しているため、色のかけあわせにより近似色を作成することが可能となる。
【００３３】
次に、本発明に係る画像作成システムの一実施形態における全体の動作について図６乃至図１２を参照して以下に説明する。図６はルックアップテーブルを使用者が選択する際の表示画面を示す図、図７はカラープルーフ作成装置の作動のメインフローチャート、図８及び図９はカラープルーフ作成装置の給紙処理のフローチャート、図１０はカラープルーフ作成装置のプリント処理のフローチャート、図１１はカラープルーフ作成装置の排紙処理のフローチャート、図１２はカラープルーフ作成装置の排出処理のフローチャートである。
【００３４】
まず、カラープルーフ作成装置のメイン作動について説明する。図７に示すように、ステップａ１でメインスイッチがＯＮされると、ステップｂ１で装置の初期設定が行われ、さらにステップｃ１で各機構部の初期設定が行われ、ここでエラーが発生すると機能を停止する。
【００３５】
初期設定が終了するとアイドリング運転が行われてリモート処理が可能になる（ステップｄ１）。このアイドリング運転中に図６に示す表示画面（タッチパネル）のメニューキーの操作で条件設定を行うことができる（ステップｅ１）、この条件設定を行うとローカル処理が可能になる。タッチパネル１２のメニューキーの操作で条件設定を行わない場合には、ＲＩＰ２からの出力画像を受信して受信画像情報のプリントを実行させるリモート処理が行われる。
（ルックアップテーブルの選択・確定）
ここで、使用者が行う条件設定として、ルックアップテーブルの選択について説明する。カラープルーフの作成時には、印刷時に用いるインク及び用紙に対応したルックアップテーブルを用いる。そのために、メニュー画面上の所定のキーを操作することにより、カラーコレクションチャンネル指定画面を液晶パネル１１に表示させる。それによって、例えば図６に示すような画面が表示される。
【００３６】
図６に示すように、画面には、チャンネル選択キー１１１が表示されると共に、１つのチャンネル例えばチャンネル１のＬＵＴ１１２の内容が表示される。この画面で、チャンネル選択キー１１１で所望のチャンネルを選択することにより、該当するチャンネルのルックアップテーブルを表示させる。そして、表示されたルックアップテーブルの内容を確認し、確定しようとするルックアップテーブルをＬＵＴ２０５に固定的に記憶させておくのか否かを使用者に選択させた後に、エンターキー１１５を押してカラープルーフ作成に用いるルックアップテーブルを確定する。
【００３７】
ここで、ルックアップテーブルを選択した場合のメカニズムについて説明する。まず、初期状態では、記憶手段３４にすべてのルックアップテーブルが記憶されている。次に、使用頻度が高いと考えられるルックアップテーブルを使用者が入力手段１２を用いて選択すると、ＣＰＵ３０が該当するルックアップテーブルを第１の出力制御情報として割り当てたことを示す識別情報を記憶手段３４に作成すると共に、ＩＦ部３６、２０１を介して送信し、第１の記憶領域２０５ａに記憶するようＣＰＵ１００に指示する。
【００３８】
このようにして、記憶手段３４には、選択されたルックアップテーブルが第１の出力制御情報に割り当てられた旨を示す識別情報と、選択されなかったルックアップテーブル（第２の出力制御情報）とが記憶されていることになる。尚、前記識別情報は、選択されたルックアップテーブルそのものの情報の代替情報として、どのルックアップテーブルが第１の出力制御情報として関連付けされたかを示すテーブル情報に過ぎないので、第１の出力制御情報として選択されたルックアップテーブル群よりも容量が小さいことは明らかである。また、ＬＵＴ２０５には、前記第１の出力制御情報が第１の記憶領域２０５ａに記憶されているだけで、第２の記憶領域２０５ｂは、初期状態では空である。すなわち、記憶手段３４には、すべてのルックアップテーブルのうち、使用者によって選択されたルックアップテーブルに替えて、係るルックアップテーブルが第１の出力制御情報として関連付けられたテーブル情報としての識別情報が記憶されていればよく、ＬＵＴ２０５には、記憶手段３４に対応して、前記選択されたルックアップテーブル（第１の出力制御情報）が第１の記憶領域２０５ａに記憶されていればよい。
【００３９】
従って、ＤＣＰ作成装置４が識別情報を付加した画像情報を受信した場合には、該当するルックアップテーブルが第１の記憶領域２０５ａに記憶されているはずなので、そのルックアップテーブルを参照する旨の指示信号である識別情報に従って、画像情報と第１の記憶領域２０５ａ内のルックアップテーブルとにより後述する露光工程が行われる。また、ＤＣＰ作成装置４がルックアップテーブル（第２の出力制御情報）を付加した画像情報を受信した場合には、該当するルックアップテーブルを第２の記憶領域２０５ｂに一時的に記憶して、後述する露光工程の際に参照する。また、記憶手段３４及びＬＵＴ２０５内で分別された識別情報や各ルックアップテーブルの内容は、入力手段１２によって変更されることも考えられるので、所定間隔ごとに更新されることが望ましい。
【００４０】
また、カラープルーフ作成にあたっては、印刷用紙の表面のマットまたはグロシー状態に合わせて、それに対応した表面状態を有する感光材料を切り換えて使用するのが、印刷物に対し忠実性の良いカラープルーフを得る点で好ましい。
【００４１】
また、アイドリング運転中に感光材料がなくなり補充を行う場合には、給紙カバー９を開けてカートリッジ１０をセットして給紙カバー９を閉じて感光材料の先端のカブリ部分を切断する給紙処理を行いアイドリング運転に戻すが（ステップｆ１）、感光材料の先端のカブリ部分を切断する給紙処理でエラーが生じると機能を停止する。
【００４２】
書き込み動作は、給紙（ステップｇ１）、プリント（ステップｈ１）、排紙（ステップｉ１）からなり、この書き込み処理が終了すると、次の感光材料が給送可能となる（ステップｊ１）。
【００４３】
次に、カラープルーフ作成装置の給紙処理について説明する。図８のカラープルーフ作成装置の給紙処理のフローチャートにおいて、ステップａ２でカートリッジ１０の有無の判断を行い、カートリッジ１０がない場合にはエラー処理を行う（ステップｂ２）。
【００４４】
カートリッジ１０がある場合には、ペーパーエンドセンサＳ４からの検出信号に基づき感光材料の終端の検出を行い（ステップｃ２）、感光材料の終端が検出されるとエラー処理を行う（ステップｂ２）。
【００４５】
感光材料の終端が検出されない場合には、給紙カバー９のロックを行い（ステップｄ２）、給紙ローラー２１ｂを圧着させて（ステップｅ２）、さらにドラム給排紙ローラー２７を圧着させる（ステップｆ２）。そして、ドラム回転モーターＭ６の励磁をＯＦＦにしてドラム３１を回転可能にし（ステップｇ２）、給紙モーターＭ３を回転させて給紙ローラー２１ａ，２１ｂにより感光材料を送る（ステップｈ２）。
【００４６】
感光材料の先端部をペーパー先端基準位置センサＳ９により検出し（ステップｉ２）、先端部が検出されると、この検出を基準にしてエンコーダーローラー２５の回転により感光材料の長さの計測を開始し（ステップｊ２）、感光材料を送ると共に、感光材料の送り量から感光材料の長さをカウントし所定長さになると（ステップｋ２）給紙モーターＭ３をＯＦＦして（ステップｌ２）、所定時間の安定待ちを行うとともに（ステップｍ２）、給紙ローラー２１ｂの圧着解除を行い（ステップｎ２）、ドラム給排紙ローラー２３及びドラム３１の回転により感光材料を搬送可能にする。
【００４７】
図９のカラープルーフ作成装置の給紙処理のフローチャートにおいて、ステップａ３でペーパー吸引ブロアＰ１をＯＮして、その安定を待ち（ステップｂ３）、安定後にドラム給排紙モーターＭ４をＯＮする（ステップｃ３）。これによって、ドラム３１にペーパーを吸着しつつ巻着ける。
【００４８】
ステップｄ３でペーパー長計測を開始し、所定長の引出し完了後（ステップｅ３）、ステップｆ３でドラム給排紙モーターＭ４をＯＦＦする。ステップｇ３で給紙ローラー２１ｂを圧着し、ステップｈ３でペーパーカットを行い、ステップｉ３でドラム給排紙モーターＭ４をＯＮすると共に、ステップｊ３で給紙ローラー２１ａ，２１ｂの圧着を解除する。
【００４９】
ステップｋ３でドラムへのペーパー巻着完了待ちの後、ステップｌ３でドラム給排紙モーターＭ４をＯＦＦし、ステップｍ３でドラム給排紙ローラー２３の圧着を解除する。
【００５０】
図１０のカラープルーフ作成装置のプリント処理のフローチャートにおいて、ステップａ４でドラム回転モーターＭ６をＯＮしてドラム３１の回転が安定するのを待ち（ステップｂ４）、副走査モーターＭ７をＯＮし（ステップｃ４）、露光シャッター３３２をＯＮし（ステップｄ４）、光学ユニット３２がドラム軸方向へ移動して副走査されるが、ステップｅ４で副走査書き込み位置を検出し、画像情報の出力を行う（ステップｆ４）。
【００５１】
このとき、レッドレーザー光源３２０、グリーンレーザー光源３２１、ブルーレーザー光源３２２が、設定されたチャンネルのＬＵＴ２０５のデータに基づいてそれぞれ発光し、印刷時のインクの色および／または印刷用紙の色に対応した色を持つ画像を露光する。
【００５２】
ステップｇ４で画像情報の書き込みが完了すると、ドラム回転モーターＭ６をＯＦＦすると共に（ステップｈ４）、副走査モーターＭ７をＯＦＦし（ステップｉ４）、光学ユニット３２をホームポジションへ移動させる。（ステップｊ４）。
【００５３】
そして、ステップｋ４でドラム給排紙ローラー２３をドラム３１へ圧着させてドラム回転モーターＭ６の励磁をＯＦＦし（ステップｌ４）、ドラム給排紙ローラー２３の回転によりドラム３１をホームポジションに移動させる（ステップｍ４）。
【００５４】
図１１のカラープルーフ作成装置の排紙処理のフローチャートにおいて、ステップａ５で排紙ガイド５１を閉じて剥離位置へセットし、現像処理ユニット４への出口シャッター５５を開くと共に（ステップｂ５）、ドラム給排紙ローラー２３に圧着させる（ステップｃ５）。
【００５５】
ステップｄ５でドラム給排紙モーターＭ４をＯＮしてドラム給排紙ローラー２３が回転し、搬出モーターＭ８をＯＮして高速搬送して感光材料を送る（ステップｅ５）。剥離ジャム検出センサＳ３０により感光材料が剥離ジャムを起こしているか否かを判断し（ステップｆ５）、剥離ジャムを起こしていない場合には、吸引ブロアＰ１の駆動を停止して感光材料の吸引を解除する（ステップｇ５）。
【００５６】
ステップｈ５で出口センサＳ３１により感光材料の排出を検出し、搬出モーターＭ８を定速に切り換えて現像処理ユニット４での処理に合わせる（ステップｉ５）。そして、ドラム３１を１回転させると共に（ステップｊ５）、剥離ガイド５１を開放する（ステップｋ５）。
【００５７】
ステップｌ５でドラム給排紙モーターＭ４をＯＦＦし、ドラム回転モーターＭ６の励磁を行いドラム３１が自由に回転しないようにし（ステップｍ５）、ドラム給排紙ローラー２３の圧着を解除して排紙処理を終了する（ステップｎ５）。
【００５８】
図１２のカラープルーフ作成装置の排出処理のフローチャートにおいて、ステップａ６で出口センサＳ３１により感光材料の排出を検出し、感光材料の後端の検出が行われると、所定時間感光材料の排出完了を待ち（ステップｂ６）、搬出モーターＭ８をＯＦＦして（ステップｃ６）、現像処理ユニット４への出口シャッター５５を閉じ（ステップｄ６）、給紙カバー９のロックを解除して感光材料の排出処理を終了する（ステップｅ６）。
以上は、Ｒ光源、Ｇ光源及びＢ光源としてＡＯＭ（光強度変調器）を用いた例であるが、Ｒ，Ｇ，Ｂ各光源はそれに限るものではなく、Ｒ，Ｇ，Ｂ各光源をすべてＬＤ（レーザーダイオード）を用いて構成しても良く、また、Ｒ，Ｇ，Ｂ各光源をＡＯＭとＬＤを用いて構成しても良いのはいうまでもない。
【００５９】
【発明の効果】
以上に説明したように、本発明に係る画像出力システムによれば、ＤＣＰ作成装置に設けられたＬＵＴ（記憶手段）に、少なくとも選択頻度が高いルックアップテーブルを常駐記憶させ、選択頻度が低いルックアップテーブルに限り、制御装置とＤＣＰ作成装置との間で伝送させるので、画像出力毎に対応するルックアップテーブルを伝送させるよりも、制御装置とＤＣＰ作成装置とを結ぶ伝送線のトラフィックを緩和させることができ、結果として画像出力に係るスループットが向上する。また、ルックアップテーブルを２つ以上のカテゴリ（例えば選択頻度）に分け、使用頻度が高いルックアップデータにあっては前記伝送線を用いることなく関連付けているので、発色パターンが増加しても使用者がルックアップテーブルを選択する際の煩雑さが軽減される。
【図面の簡単な説明】
【図１】本発明に係る画像出力システムの一実施形態における構成を表す図である。
【図２】本発明に係る画像出力システムの一実施形態における構成を表すブロック図である。
【図３】本発明に係る画像出力システムの一実施形態におけるＤＣＰ作成装置の電気的な構成を示すブロック図である。
【図４】本発明に係る画像出力システムの一実施形態におけるルックアップテーブルの一例を示す図である。
【図５】本発明に係る画像出力システムの一実施形態におけるルックアップテーブルの一例を示す図である。
【図６】本発明に係る画像出力システムの一実施形態における制御装置で登録されるカラーコレクションの詳細な設定内容を表す図である。
【図７】本発明に係る画像出力システムの一実施形態における画像情報の出力処理の流れについて説明するフローチャートである。
【図８】本発明に係る画像出力システムの一実施形態における画像情報の出力処理の流れについて説明するフローチャートである。
【図９】本発明に係る画像出力システムの一実施形態における画像情報の出力処理の流れについて説明するフローチャートである。
【図１０】本発明に係る画像出力システムの一実施形態における画像情報の出力処理の流れについて説明するフローチャートである。
【図１１】本発明に係る画像出力システムの一実施形態における画像情報の出力処理の流れについて説明するフローチャートである。
【図１２】本発明に係る画像出力システムの一実施形態における画像情報の出力処理の流れについて説明するフローチャートである。
【符号の説明】
１Ａ〜１Ｃ  画像情報編集端末
２  ＲＩＰ
３  制御装置
４  ＤＣＰ作成装置
Ｎ  ネットワーク
【図１】
2005020133.tif 000003
【図２】
2005020133.tif 000004
【図３】
2005020133.tif 000005
【図４】
2005020133.tif 000006
【図５】
2005020133.tif 000007
【図６】
2005020133.tif 000008
【図７】
2005020133.tif 000009
【図８】
2005020133.tif 000010
【図９】
2005020133.tif 000011
【図１０】
2005020133.tif 000012
【図１１】
2005020133.tif 000013
【図１２】
2005020133.tif 000014